(57)【要約】【課題】ディスク装置内の重要個人情報の流失を防止するとともに、重要個人情報のバックアップを遠隔制御で行うことを可能にし、セキュリティ機能を向上させる。【解決手段】情報を記録、再生するための記録媒体を有した記憶装置となるディスク装置３であって、あらかじめ設定された外部からの情報送信指令信号を受信する受信手段１１と、送信する情報を選別確認する情報確認手段１３と、選別確認された情報を送信する送信手段１２と、情報の再生送信に際してディスク装置３の動作環境を確認する動作環境確認手段１４と、情報送信のための補助電源手段８２と、補助電源手段８２の容量を確認して充電、放電動作を制御する電源制御手段５とを備える。【選択図】図８
2006229406.tif 000002
【特許請求の範囲】
【請求項１】
情報を記録、再生するための記録媒体を有した記憶装置であって、
あらかじめ設定された外部からの情報送信指令信号を受信する受信手段と、
送信する前記情報を選別確認する情報確認手段と、
選別確認された前記情報を送信する送信手段と、
前記情報の再生送信に際して前記記憶装置の動作環境を確認する動作環境確認手段と、
情報送信のための補助電源手段と、
前記補助電源手段の容量を確認して充電、放電動作を制御する電源制御手段と、
を備えたことを特徴とする記憶装置。
【請求項２】
前記補助電源手段は燃料電池であることを特徴とする請求項１に記載の記憶装置。
【請求項３】
前記電源制御手段は、燃料電池である前記補助電源手段の発電動作を制御することを特徴とする請求項１に記載の記憶装置。
【請求項４】
前記情報の記録時に優先度をつけて記録することを特徴とする請求項１に記載の記憶装置。
【請求項５】
前記情報の記録時の優先度に応じて前記情報を送信することを特徴とする請求項１に記載の記憶装置。
【請求項６】
前記記録媒体がディスク状であって、
優先度の高い前記情報は前記記録媒体の外周側に記録しておき、前記情報の再生送信時には前記記録媒体の回転数を下げて前記情報送信を行うことを特徴とする請求項１に記載の記憶装置。
【請求項７】
前記記憶装置の存在する場所を特定するための信号を発信する現在位置信号発信手段を有することを特徴とする請求項１に記載の記憶装置。
【請求項８】
情報を受信および送信する通信手段と、
前記受信および送信した情報を記録、再生する記憶装置と、
受信および記憶されている情報を表示および出力する情報表示出力手段と、
送信および記憶する情報を入力する情報入力手段と、
電源手段とを有する携帯情報端末装置において、
前記電源手段は燃料電池であり、前記記憶装置の動作および記録容量に応じて発電動作を制御する電源制御手段を備えたことを特徴とする携帯情報端末装置。
【請求項９】
前記電源制御手段は、前記電源手段の充電容量に基づいて発電動作を制御するとともに、前記記憶装置からの指令に応じて発電動作を制御することを特徴とする請求項８に記載の携帯情報端末装置。
【請求項１０】
大容量のデータの送受信や記録再生を行う場合、前記記憶装置は前記電源手段の容量を確認するとともに、前記容量に応じて前記電源制御手段に発電動作の指令を出力することを特徴とする請求項８に記載の携帯情報端末装置。
【請求項１１】
情報を記録、再生するための記録媒体を有した記憶装置と、
あらかじめ設定された外部からの情報送信指令信号を受信する受信手段と
前記記憶装置内にある送信する前記情報を選別確認する情報確認手段と、
選別確認された情報を送信する送信手段と、
前記情報の再生送信に際して前記記憶装置の動作環境を確認する動作環境確認手段と、
電源手段とを備える携帯情報端末装置において、
前記電源手段には前記記憶装置内に記録された情報の送信を行うための補助電源手段が含まれていることを特徴とする携帯情報端末装置。
【請求項１２】
前記補助電源手段は燃料電池であることを特徴とする請求項１１に記載の携帯情報端末装置。
【請求項１３】
前記補助電源手段は、前記電源手段よりも優先して充電されることを特徴とする請求項１１に記載の携帯情報端末装置。
【請求項１４】
前記情報の記録時に優先度をつけて記録することを特徴とする請求項１１に記載の携帯情報端末装置。
【請求項１５】
前記情報の記録時の優先度に応じて前記情報を送信することを特徴とする請求項１１に記載の携帯情報端末装置。
【請求項１６】
前記記録媒体がディスク状であって、
優先度の高い前記情報は前記記録媒体の外周側に記録しておき、前記情報の再生送信時には前記記録媒体の回転数を下げて前記情報送信を行うことを特徴とする請求項１１に記載の携帯情報端末装置。
【請求項１７】
固定電話網を介して外部情報端末装置と接続し、無線通信網を介して携帯情報端末装置と接続するサーバ局を備える移動体通信システムであって、
前記携帯情報端末装置は記憶装置を備え、
前記記憶装置は、情報を記録、再生するための記録媒体と、あらかじめ設定された外部からの情報送信指令信号を受信する受信手段と、送信する前記情報を選別確認する情報確認手段と、選別確認された前記情報を送信する送信手段と、前記情報の再生送信に際して前記記憶装置の動作環境を確認する動作環境確認手段と、情報送信のための補助電源手段と、前記補助電源手段の容量を確認して充電、放電動作を制御する電源制御手段とを備えたディスク装置であることを特徴とする移動体通信システム。
【請求項１８】
固定電話網を介して外部情報端末装置と接続し、無線通信網を介して携帯情報端末装置と接続するサーバ局を備える移動体通信システムであって、
前記携帯情報端末装置は、情報を記録再生するための記録媒体を有した記憶装置と、あらかじめ設定された外部からの情報送信指令信号を受信する受信手段と、前記記憶装置内にある送信する前記情報を選別確認する情報確認手段と、選別確認された情報を送信する送信手段と、前記情報の再生送信に際して前記記憶装置の動作環境を確認する動作環境確認手段と、電源手段とを備え、
かつ、
前記電源手段には前記記憶装置内に記録された情報の送信を行うための補助電源手段が含まれていることを特徴とする移動体通信システム。
【発明の詳細な説明】
【技術分野】
【０００１】
本発明は、情報記録再生装置として用いられる小型の磁気ハードディスク装置等の記憶装置およびそれを備えた携帯情報端末装置ならびにこれらを用いて構成される移動体通信システムに関する。特に、記憶装置となるディスク装置を備えた携帯情報端末装置が紛失または盗難等の事故にあった場合等に、遠隔制御により、携帯情報端末装置が悪用されることを防止するとともに、携帯情報端末に備わるディスク装置に記録された情報のバックアップを行うことを可能にし、記憶装置およびそれを備えた携帯情報端末装置ならびに携帯情報端末装置を用いて構成される移動体通信システムに関するものである。
【背景技術】
【０００２】
最近の携帯情報端末装置はますます小型・軽量化され、電話帳や個人情報等の各種データの記憶機能のみならず、電子メール通信機能に加えてインターネット接続機能を有する等、多機能化されている。携帯情報端末装置の小型化により、可搬性に優れる反面、携帯情報端末装置の紛失や、第三者により盗難される機会が増えている。これに伴って、紛失または盗難にあった携帯情報端末装置が第三者に不正に使用されて正規の所有者に通信料金が課金されたり、携帯情報端末装置に記録格納された各種データが悪用されたりすることも多発している。そのため、紛失や盗難にあった携帯情報端末装置の不正使用を防止する手段の充実が要望されている。
【０００３】
紛失や盗難にあった携帯情報端末装置の不正使用を防止する手段の例としては、暗証番号を用いたダイヤル発信および電話帳等の情報表示ロック機能、また正規の所有者が他の一般電話機から紛失した携帯情報端末装置に発信して動作モードを防犯モードに切り換えることができ、不正使用による通信料金の課金を防止する防犯機能付き携帯情報端末装置、また正規の所有者が他の一般電話機から通信事業者の交換局等へ連絡し、交換局が悪用防止手段を携帯情報端末装置に対して講ずる方法等が知られている。
【０００４】
これらの方法の他にもいくつかの紛失や盗難にあった携帯情報端末装置の不正使用を防止する手段や方法が提案されている（例えば、特許文献１、特許文献２、特許文献３参照）。
【０００５】
図１０は、携帯情報端末装置の不正使用を防止する方法の第１の例となる移動体通信システムの構成を示す図である。図１０において、携帯情報端末１００および移動体通信システムは、あらかじめ設定された電話番号による発信から切断までの呼び出し音の回数があらかじめ設定された値に一致し、かつ切断の回数があらかじめ設定された値に一致した場合に、発信規制を行うとともに携帯情報端末１００に記録された各種データをサービス制御局１１３へ送信し、サービス制御局１１３は、携帯情報端末１００から受信した各種データのバックアップを行っている。
【０００６】
また、図１１は、携帯情報端末装置の不正使用を防止する方法の別の例となる移動体通信システムの構成を示す図である。図１１において、携帯通信端末を用いる移動体通信システムは携帯情報端末１００、携帯通信端末システム１５０、無線基地局１１１、基地局制御装置１６０、加入者情報を記憶してすることを含む交換機１７０、顧客情報管理蓄積装置１８０、固定電話網１３２等で構成されており、携帯情報端末１００が、顧客情報管理蓄積装置１８０に記憶されているダイヤルロックサービスおよびデータ消去サービスの設定状態を受信すると、その設定状態に基づいてダイヤルロック、データ消去を行い、携帯電話機の通話禁止、電話帳等の個人情報データの消去を行っている。
【０００７】
さらに、図１２に示したのは、上述したような携帯情報端末装置の不正使用を防止する対策において、携帯情報端末装置に備わる磁気ディスク装置（ＨＤＤ）等のデータ記録再生装置のデータをその電源に異常が生じた場合でも保障することが可能な構成を示すブロック図である。図１２に示したＨＤＤ３１１では、ホストからライトコマンドとライトデータを受信した際に、データをバッファメモリに一時的に格納し、そのデータの書き込みを行う前にコマンドの終了をホストに返し、後に実際の書き込みを行う機能となるライトキャッシュ機能を備えている。
【０００８】
図１２において、ＨＤＤ３１１は、ディスク３１２、ヘッド３１３、ＲＷ回路３１４、ハードディスクコントローラＨＤＣ３１５、バッファメモリ３１６、不揮発性メモリ３１７、主電源３１８、バックアップ電源３１９、電源検出・切換回路３２０とから構成されており、ＨＤＤ３１１はホスト３２１との間でデータのやり取りを行っている。この構成のデータ記録再生装置では、主電源３１８とは別にバックアップ電源３１９を設け、ライトキャッシュ動作中に主電源３１８に異常が発生した場合に、電源検出・切換回路３２０を介してバックアップ電源３１９を起動し、バッファメモリ３１６内のデータをディスク３１２に書き込むか、または不揮発性メモリ３１７にバッファメモリ３１６内のデータを退避させている。これにより、主電源３１８の異常時にバッファメモリ３１６内のデータが失われる事態を防いでいる。
【特許文献１】特開２００２−２９１０４１号公報
【特許文献２】特開２００３−３１９４５３号公報
【特許文献３】特開平７−４４９８２号公報
【発明の開示】
【発明が解決しようとする課題】
【０００９】
上記の携帯情報端末装置の不正使用を防止する手段の第１の例として示した構成では、携帯端末を紛失、あるいは盗難で失った場合、携帯端末の送受信機能と、あらかじめ設定した信号で携帯端末とサービス局との通信を可能にして、携帯端末内の各種データをサービス局へ送信して情報の紛失を防止している。そして、現状のようにデータ容量が小さい場合、メモリが半導体メモリの場合はデータの読み出し量も少なく、情報の再生・送信に要する電力はそれほど大きくなく、携帯端末の電源の残り容量で十分まかなえると考えられる。しかしながら、大容量の小型磁気ディスク装置等が搭載された携帯端末では、例えば１インチだと現在市場にある装置としては４ＧＢの容量の情報をバックアップすることが必要となる。
【００１０】
現在の第２世代携帯電話のデータ通信速度は９．６ｋｂｐｓであり、１ＧＢあたりの送信でも約２３０時間が必要で、第３世代携帯電話の３８６ｋｂｐｓでも、１ＧＢあたり送信に約５．８時間が必要となる。これだけのデータを送信するには、現在のシステムでは電源容量が不十分である。今後、第４世代携帯電話ではデータ通信速度は数１０Ｍｂｐｓと向上され、仮に１０Ｍｂｐｓであれば、１ＧＢのデータは２２分で送信が可能となるが、ディスク装置の記録密度も向上するため、装置自体の容量も増加することになる。
【００１１】
よって、記録情報の優先度付けによる送信データの選択や、送信のための電源容量の確保が必要かつ課題である。
【００１２】
また、携帯情報端末装置の不正使用を防止する手段の別の例として示した構成では、装置の紛失等の場合に、端末装置内に記録されている個人情報の閲覧を不可にするとともに情報の消去を行っている。しかしながら、このシステムでは個人情報流失を防止することは可能であるが、個人情報のバックアップを行うことができないという課題が生じる。常に個人が個人情報のバックアップを行うことが必要となる。
【００１３】
さらに、携帯情報端末装置の不正使用を防止する対策において、携帯情報端末装置に備わる磁気ディスク装置（ＨＤＤ）等のデータ記録再生装置のデータをその電源に異常が生じた場合でも保障することを可能とする構成では、ライトキャッシュ機能を備えたデータ記録再生装置において、電源に異常が生じた場合、バックアップ電源を使用してライトキャッシュのデータをディスクもしくは不揮発性メモリに記録するシステムを有している。しかしながら、この場合もディスクに記録されている大容量の情報を操作するだけの電源は考慮されていないため、携帯情報端末装置に搭載されたディスク装置の情報をバックアップするための補助電源の確保が課題である。
【００１４】
本発明は、上述した課題を解決するためになされたもので、大容量ディスク装置を搭載した携帯情報端末装置において、ディスク装置内の重要個人情報の流失を防止するとともに、重要個人情報のバックアップを遠隔制御で行うことが可能となり、セキュリティ機能を向上させた携帯情報端末装置、およびそれに搭載されるディスク装置を提供することを目的とする。
【課題を解決するための手段】
【００１５】
上記課題を解決するために、本発明の記憶装置は、情報を記録、再生するための記録媒体を有した記憶装置であって、あらかじめ設定された外部からの情報送信指令信号を受信する受信手段と、記憶装置内の送信する情報を選別確認する情報確認手段と、選別確認された情報を送信する送信手段と、情報の再生送信に際して記憶装置の動作環境を確認する動作環境確認手段と、情報送信のための補助電源手段と、補助電源手段の容量を確認して充電、放電動作を制御する電源制御手段とを備えた構成を有する。また、本発明の記憶装置は、補助電源手段は燃料電池である構成、また、電源制御手段は、燃料電池である補助電源手段の発電動作を制御する構成、また、情報の記録時に優先度をつけて記録する構成、また、情報の記録時の優先度に応じて情報を送信する構成、また、記録媒体がディスク状であって、優先度の高い情報は記録媒体の外周側に記録しておき、情報の再生送信時には記録媒体の回転数を下げて情報送信を行う構成に加えて、記憶装置の存在する場所を特定するための信号を発信する現在位置信号発信手段を備えた構成を有してもよい。
【００１６】
これらの構成により、記憶装置となるディスク装置単体で、ディスク装置搭載の携帯情報端末を紛失した場合に外部の別の情報端末装置によりバックアップのための指令信号を受信して、ディスク装置内の情報を優先順位の高いものから選択してバックアップすることが可能となる。しかも、ディスク装置の再生、情報の送受信のための電源を心配することなく、電源不足によるバックアップ失敗を燃料電池の補助電源を有することで防止することが可能となって、情報の紛失、漏洩を防止することが可能となり、情報セキュリティ性能の高いディスク装置搭載の携帯情報端末装置を実現することが可能となる。
【００１７】
また、上記課題を解決するために、本発明の記憶装置を備えた携帯情報端末装置は、情報を受信および送信する通信手段と、受信および送信した情報を記録再生する記憶装置と、受信および記憶されている情報を表示および出力する情報表示出力手段と、送信および記憶する情報を入力する情報入力手段と、電源手段とを有する携帯情報端末装置において、電源手段は燃料電池であり、記憶装置の動作および記録容量に応じて発電動作を制御する電源制御手段を備えた構成を有する。また、本発明の記憶装置を備えた携帯情報端末装置は、電源制御手段が電源手段の充電容量に基づいて発電動作を制御するとともに、記憶装置からの指令に応じて発電動作を制御する構成、また、大容量のデータ送受信や記録再生を行う場合、記憶装置は電源手段の容量を確認するとともに、容量に応じて電源制御手段に発電動作の指令を出力する構成もまた可能である。
【００１８】
これらの構成により、大容量の電源確保および燃料を補給しておくことで電源不足時に装置単独で充電することが可能になり、携帯情報端末装置内の電源容量の必要なディスク装置にいつでも記録再生することができ、ディスク装置に記録されている大容量情報のバックアップも機器側の電源容量に制限されることなく行うことが可能となる。これにより、電源容量により動作制限されるディスク装置搭載の携帯情報端末装置の制御動作を簡単化することが可能となる。また、大容量の情報をより多くの頻度で扱うことが可能となる。
【００１９】
さらに、本発明の記憶装置を備えた携帯情報端末装置は、情報を記録、再生するための記録媒体を有した記憶装置と、あらかじめ設定された外部からの情報送信指令信号を受信する受信手段と、記憶装置内の送信する情報を選別確認する情報確認手段と、選別確認された情報を送信する送信手段と、情報の再生送信に際して記憶装置の動作環境を確認する動作環境確認手段と、電源手段とを有する携帯情報端末装置において、記憶装置内に記録された情報の送信を行うための補助電源手段を備えた構成を有する。また、本発明の記憶装置を備えた携帯情報端末装置は、補助電源手段は燃料電池である構成、また、補助電源手段は、電源手段よりも優先して充電される構成、また、情報の記録時に優先度をつけて記録する構成、また、情報の記録時の優先度に応じて情報を送信することを特徴とする構成のみならず、記録媒体がディスク状であって、優先度の高い情報は記録媒体の外周側に記録しておき、情報の再生送信時には記録媒体の回転数を下げて情報送信を行う構成を有してもよい。
【００２０】
これらの構成により、ディスク装置搭載の携帯情報端末を紛失した場合、外部の別の情報端末装置によりバックアップのための指令信号を受信して、ディスク装置内の情報を優先順位の高いものから選択してバックアップすることが可能となる。しかも、ディスク装置の再生、情報の送受信のための電源を心配することなく、電源不足によるバックアップ失敗を燃料電池の補助電源を有することで防止することが可能になって、情報の紛失、漏洩を防止することが可能となり、情報セキュリティ性能の高いディスク装置搭載の携帯情報端末装置を実現することが可能となる。
【００２１】
また、本発明の記憶装置となるディスク装置を備えた携帯情報端末装置を用いる移動体通信システムは、固定電話網を介して外部情報端末装置と、無線通信網を介して記憶装置を備える携帯情報端末装置と接続するサーバ局を備える移動体通信システムであって、携帯情報端末装置に備わる記憶装置はディスク装置であり、上述した構成の記憶装置および携帯情報端末装置を用いた構成を有しているので、ディスク装置搭載の携帯情報端末を紛失した場合、外部の別の情報端末装置によりバックアップのための指令信号を受信して、ディスク装置内の情報を優先順位の高いものから選択してバックアップすることが可能になって情報の紛失や漏洩を防止することが可能な情報セキュリティ性能の高い移動体通信システムを実現できる。
【発明の効果】
【００２２】
本発明の携帯情報端末装置およびディスク装置によれば、ディスク装置での情報の記録再生を電源の容量によって制限されることがなくなり、大容量の情報をいつでも扱うことが可能となる。
【００２３】
また、ディスク装置およびそれが搭載された携帯情報端末装置を紛失した場合のディスク装置に記録された情報のバックアップおよび消去が電源容量に制限されることなく実行できるため、情報セキュリティ機能の高い携帯情報端末装置およびディスク装置を実現することが可能となる。
【発明を実施するための最良の形態】
【００２４】
以下本発明の実施の形態について、図面を参照しながら説明する。
【００２５】
（実施の形態１）
最初に、本発明の実施の形態１における記憶装置となるディスク装置を備えた携帯情報端末装置について図１〜図４を用いて説明する。図１は、本発明の実施の形態１における携帯情報端末装置の構成を示すブロック図、図２は本発明の実施の形態１における携帯情報端末装置の情報受信の場合の動作の手順を示すフローチャート、図３は本発明の実施の形態１における携帯情報端末装置に備わる補助電源となる燃料電池の原理を説明する図、図４は本発明の実施の形態１における携帯情報端末装置の情報送信の場合の動作の手順を示すフローチャートである。
【００２６】
図１において、携帯情報端末装置２０は主機能ブロック１０に電源手段４が付属した構成からなり、主機能ブロック１０には他の外部情報端末装置からの情報を受信および送信する通信手段１、受信した情報を文字、画像、映像として表示するか、または音声出力する情報表示出力手段２、受信情報を記録したり、送信情報を再生したりする磁気ディスク装置等の記憶装置となるディスク装置３、各要素に電力を供給する電源手段４、電源手段４に対して、発電・蓄電・放電の各動作を制御する電源制御手段５、外部情報端末装置に対して通信手段１から送信される文字、画像、映像等の情報、または音声情報を装置に入力するための情報入力手段６が備わっている。そして、電源手段４には燃料電池が含まれている。通信手段１は外部からの情報を受信し、受信した情報をディスク装置３と、例えばディスプレイ等からなる情報表示出力手段２に出力している。また、通信手段１が受信または送信する情報量に関する信号を電源制御手段５に出力している。ディスク装置３は、入力される情報を記録するとともに、記録する情報量に関する信号を電源制御手段５に出力している。例えばキーボード等からなる情報入力手段６は、記録または送信情報をディスク装置３または通信手段１に出力し、情報表示出力手段２は、入力された情報をディスプレイ等で電気的に変換して表示するとともに、表示に必要な電力量に関する信号を電源制御手段５へ出力している。電源制御手段５は、各入力信号に基づいて電源容量を計算して、容量が不足していると判断された場合、燃料電池等からなる電源手段４に動作指令信号を出力し、電源手段４が補充電力を携帯情報端末装置２０の各構成要素へ出力している。
【００２７】
次に、図２を用いて情報が受信された場合の処理の流れについて説明する。
【００２８】
図２において、外部の別の情報端末装置から携帯情報端末装置２０が信号を通信手段１で受信する（ステップＳ２０１：情報の受信処理）と、通信手段１は信号を情報表示出力手段２の液晶ディスプレイに情報を表示するための電源容量を見積もって電源制御手段５で現在の電源容量が十分か否かを判断する（ステップＳ２０２：表示用電源容量の残量を確認する判断処理）。電源容量が十分と判断された場合、通信手段１は信号をディスク装置３に情報等の信号を記録するか否かを判断する（ステップＳ２０３：情報記録可否判断処理）。情報信号の記録不要と判断された場合、信号を情報表示出力手段２へ出力し、情報表示出力手段２が情報を表示する（ステップＳ２０４：受信情報の表示処理）。情報信号の記録が必要と判断された場合の処理については後述する。一方、電源容量が不十分と判断された場合は、電源制御手段５が、電源の発電、充・放電の動作モードであるかどうかを判断して（ステップＳ２０５：電源動作モード確認処理）、燃料電池等からなる電源手段４を発電モードに切り換えて（ステップＳ２０６：発電モード動作処理）、充電を行う（ステップＳ２０７：充電モード動作処理）。表示に十分な電源容量が確保された段階で、再度ステップＳ２０２を経て、通信手段１は信号を情報表示出力手段２へ出力し、上述したステップＳ２０３およびステップＳ２０４を経て情報が表示される。
【００２９】
また、ステップＳ２０５の電源動作モード確認処理において、電源手段４が発電および充電中で情報の表示ができないと判断された場合、携帯情報端末装置２０が備える半導体メモリに記録される。ただし、電源容量には制限があるため、外部からの送信を受信している場合は送信元へ電源容量不十分の通知を送るが、自分の携帯情報端末装置２０より情報の要求を外部に行った場合には、このような電源容量不十分の通知は行わない。記録に十分な電源容量が確保された段階で、ディスク装置３は情報を記録する。
【００３０】
次に受信した信号を記憶装置となるディスク装置３に記録する場合の処理について説明する。ここでは磁気ディスク装置（ＨＤＤ）を使用した例で説明する。情報を記録する場合、通信手段１でステップＳ２０３により記録するか否かを判断されてから情報は通信手段１からディスク装置３へ送信される。このとき、ディスク装置３は磁気ディスク装置に情報を記録するための電源容量を見積もって電源制御手段５で現在の電源容量が十分か否かを判断する（ステップＳ２０８：ＨＤＤ等のディスク装置用電源容量の残量を確認する判断処理）。電源容量が十分と判断された場合、ディスク装置３は受信した情報を記録する（ステップＳ２０９：ＨＤＤ記録処理）。この処理では記録する場合にデータに重要度をつけることが行われる。例えば、個人情報、機密情報等の最重要情報、消失すると困る重要情報、そして一般情報の３段階に重要度を区分している。さらに、最重要データは、ＨＤＤ等のディスク装置３の動作時のモータ等の駆動手段の回転数が低下しても再生可能およびバックアップ可能とするために、ディスク装置の情報記録媒体用ディスクの外周側に記録することが望ましい。なお、上述した例では、データの重要度を３段階に区分しているが本発明はこれに限定されるものではなく、２段階の重要度であってもよいし、さらに３段階よりも多い段階に重要度区分をしてもよい。
【００３１】
ステップＳ２０８において、逆に電源容量が不十分と判断された場合は、前述した表示用電源容量の場合と同様の処理が行われる。電源制御手段５が燃料電池等からなる電源手段４を発電モードに切り換えて（ステップＳ２１０：発電モード動作処理）、充電を行う（ステップＳ２１１：充電モード動作処理）。記録に十分な電源容量が確保された段階で、再度ステップＳ２０８を経て、ディスク装置３には情報が記録される。以上説明した処理の手順が、受信動作の場合のシーケンスとなる。
【００３２】
ここで、本発明の実施の形態１における携帯情報端末装置で使用した燃料電池について簡単に説明する。燃料電池３０としては小型化が容易で、メタノールを燃料としてそのまま電池内で反応させる直接反応方式燃料電池（以下ＤＭＦＣと略称する。）を用いる。これは超小型で高性能の改質型燃料電池とも呼ばれる。図３に原理図を示したように燃料電池３０では、燃料であるメタノール等の液体アルコール３１が触媒作用により水素イオンＨ＋と電子ｅ−に分解される。ここで、２つの電極、アノード３２およびカソード３３の間に高分子の電解質膜３４を設ける。この電解質膜３４は水素イオンＨ＋のみを通し、電子ｅ−を通さない性質を持っている。それ故、水素イオンＨ＋のみが正極側へ移動する。正極では水素イオンＨ＋と酸素３７と外部回路を移動した電子ｅ−が化学反応して水３６が発生し、負極では二酸化炭素３５が発生する。ここでの電子ｅ−の移動が電流となる。
【００３３】
次に、図４を用いて情報を送信する場合の処理の流れについて説明する。
【００３４】
図４は、情報送信時の情報処理のフローチャート図である。
【００３５】
図４において、外部の別の情報端末装置へ携帯情報端末装置２０から情報を送信する場合、キーボードやタッチパネル等の情報入力手段６を用いて直接情報を送信するかまたは記憶装置となるディスク装置３等に記録された情報を送信するかを判断し（ステップＳ４０１：送信情報を確認する処理）、情報入力手段６を用いて直接情報を送信する場合には情報入力手段６から送信する情報を携帯情報端末装置２０に入力し（ステップＳ４０２：情報入力手段６からの情報の受取処理）、信号は通信手段１へ出力される。また、ディスク装置３に記録されている情報を送信する場合は、情報入力手段６から読み出し指令信号がディスク装置３に出力される（ステップＳ４０３：記録情報読み出し指令を出力する処理）。ディスク装置３では、情報を読み出して、再生するための電源容量を見積もって電源制御手段５で現在の電源容量が十分か否かを判断する（ステップＳ４０４：情報読み出し、再生用電源容量の残量を確認する判断処理）。電源容量が十分と判断された場合、ディスク装置３は情報の読み出し再生を行い（ステップＳ４０５：ディスク装置３より読み出した情報を再生する処理）、信号を通信手段１へ出力する。一方逆に、電源容量が不十分と判断された場合は、電源制御手段５が燃料電池等からなる電源手段４を発電モードに切り換えて（ステップＳ４０６：発電モード動作処理）、充電を行う（ステップＳ４０７：充電モード動作処理）。再生に十分な電源容量が確保された段階で、ディスク装置３は情報を読み出し、通信手段１へ信号を出力する。また、ディスク装置３からの情報と情報入力手段６からの情報を取得する２つの処理の和結合も行われる（ステップＳ４０８）。
【００３６】
上述した処理を経て通信手段１へ入力される信号は、外部情報端末へと送信されることになるが、通信手段１は入力された情報を送信するための電源容量を見積もって電源制御手段５で現在の電源容量が十分か否かを判断する（ステップＳ４０９：送信動作用電源容量の残量を確認する判断処理）。電源容量が十分と判断された場合、情報は送信される（ステップＳ４１０：情報の送信処理）。逆に不十分と判断された場合は、電源制御手段５が燃料電池等からなる電源手段４を発電モードに切り換えて（ステップＳ４１１：発電モード動作処理）、充電を行う（ステップＳ４１２：充電モード動作処理）。送信に十分な電源容量が確保された段階で、再度ステップＳ４０９を経て、ステップＳ４１０により情報は通信手段１より送信される。
【００３７】
このような構成により、電源容量に制限されないディスク装置３とそれを搭載した携帯情報端末装置２０を実現することが可能となる。
【００３８】
なお、上述した本発明の実施の形態１における携帯情報端末装置２０の概略構成を示す図１には、記憶装置となるディスク装置３を備える携帯情報端末装置２０が紛失したとき等にディスク装置の存在する場所を特定するための信号を発信する現在位置信号発信手段を図示していないが、携帯情報端末装置２０またはディスク装置自体に現在位置信号発信手段を含めた構成とすることもできる。この構成により紛失した携帯情報端末装置２０の所在が明らかになり利便性を向上させることが可能になる。
【００３９】
（実施の形態２）
続いて、本発明の実施の形態２における記憶装置となるディスク装置を備えた携帯情報端末装置について図５〜図７を用いて説明する。図５は本発明の本発明の実施の形態２における携帯情報端末装置の構成を示すブロック図、図６は本発明の実施の形態２における携帯情報端末装置を用いる移動体通信システムにおいて情報のバックアップ処理を説明するブロック図、図７は本発明の実施の形態２における携帯情報端末装置の情報バックアップの場合の動作の手順を示すフローチャートである。
【００４０】
図５に示した本発明の実施の形態２における携帯情報端末装置の基本的な構成については、図１に示した本発明の実施の形態１における携帯情報端末装置の構成と同様であり、重複をさけるため、ここでは、基本的な内容の詳しい説明は省略する。また、実施の形態１と同一の構成要素については、図１と同一の符号を付している。
【００４１】
図５に示した本発明の実施の形態２における携帯情報端末装置の構成が図１に示した本発明の実施の形態１における携帯情報端末装置の構成と異なるところは、携帯情報端末装置２０を紛失した場合等に、ディスク装置３内の情報をバックアップおよび消去するのに外部からの指令を受信するための受信手段１１と、ディスク装置３内に記録されている優先度の高い情報を選択して外部へ送信するための送信手段１２と、送信する情報を選択して容量を確認する情報確認手段１３と、ディスク装置３を起動するにあたって可能な温度等の動作環境を満たしているか否かを確認する動作環境確認手段１４と、携帯情報端末装置の電源手段４の一部として、あるいは別にディスク装置３のための補助電源手段５１とが追加されているところである。
【００４２】
また、本発明の実施の形態２における携帯情報端末装置２０を用いる移動体通信システム６００に関し、その概略構成を示すブロック図である図６（ａ）および、携帯情報端末装置２０を紛失した場合等に、携帯情報端末装置２０に備わるディスク装置３内の情報をバックアップおよび消去するのに外部からの指令によりバックアップの依頼およびバックアップデータの送信等を行う処理の流れを概略的に示すブロック図である図６（ｂ）を用いて簡単に説明する。図６（ａ）に示すように、所有者が携帯情報端末装置２０を紛失した場合等に、例えば個別の固定電話機等の外部情報端末装置６０１を使用して固定電話網６０２を介してサーバ局６０３にバックアップ依頼を送信する。サーバ局はバックアップ依頼に基づくレポートを受信し、携帯情報端末装置２０にバックアップ信号を送信する。携帯情報端末装置２０はサーバ局６０３から送信されたバックアップ信号に基づくバックアップ指令信号に基づきデータのバックアップや消去等の処理を実施する。
【００４３】
次に、本発明の実施の形態２における携帯情報端末装置２０が備える記憶装置となるディスク装置３内の情報をバックアップおよび消去するための外部からの指令情報が受信された場合の処理の流れについて、指令情報受信時の処理の手順をフローチャートで示した図７を用いて少し詳しく説明する。
【００４４】
図７において、携帯情報端末装置２０を紛失した場合等に外部情報端末装置６０１からサーバ局６０３を経由してディスク装置３内の情報をバックアップするための指令信号を携帯情報端末装置２０に備わる受信手段１１が受信する（ステップＳ７０１：情報をバックアップするための指令信号受信処理）と、信号は受信手段１１から情報確認手段１３へ送られ、情報確認手段１３は送信する情報の確認、容量の確認をディスク装置３との間で行う（ステップＳ７０２：バックアップする情報の有無と容量の確認処理）。次に、動作環境確認手段１４がバックアップのためにＨＤＤ等のディスク装置３の情報を再生、すなわち動作できる環境にあるか否かを確認するために、振動・衝撃、および温湿度・結露状態等の条件を検出し（ステップＳ７０３：ＨＤＤ動作環境確認処理）、振動・衝撃、および温湿度・結露状態がディスク装置を動作させることができるしきい値以下であることの確認が完了したか否かを判断する（ステップＳ７０４：ＨＤＤ動作環境確認完了判断処理）。ディスク装置３の情報を再生することができる環境であると判断された場合、ディスク装置３の動作制御に移る（ステップＳ７０５：ディスク装置３の起動を含む動作制御処理）。ディスク装置３の情報を再生することができる環境にないと判断された場合、確認・判断処理の動作をあらかじめ設定された時間間隔で、あらかじめ設定させた回数確認を行い（ステップＳ７０６：環境確認の回数がしきい値以下であるか否かを計数する判断処理）、規定の回数確認してもディスク装置３の情報を再生することができる環境にないと判断された場合は、送信元に状態を伝える（ステップＳ７０７：環境の状態が悪い場合にその状況を送信指令する処理）。なお、動作環境確認手段１４の繰り返し回数は、例えば２分ごと２０回等でよいが、この時間間隔、回数に限定されるものではない。
【００４５】
次に、記憶装置となるディスク装置の情報を読み出す前に確認した情報とその容量から、情報を再生して送信するためにＨＤＤ動作用の電源容量を見積もって電源制御手段５で現在の電源容量が十分か否かを判断する（ステップＳ７０８：ＨＤＤ動作用電源容量の残量を確認する判断処理）。電源容量が十分と判断された場合、ディスク装置３は情報を再生して（ステップＳ７０９：ＨＤＤ等のディスク装置３から情報を再生する処理）、送信手段１２より、サーバ局６０３へバックアップ情報を送信し（ステップＳ７１０：情報をサーバ局６０３に送信する処理）、外部情報端末装置６０１にバックアップ情報が届く。逆に、電源容量が不十分と判断された場合は、電源制御手段５が、例えば燃料電池からなり電源手段４の一部を構成する補助電源手段５１を発電モードに切り換えて（ステップＳ７１１：発電モード動作処理）、充電を行う（ステップＳ７１２：充電モード動作処理）。ディスク装置３から情報を再生し、送信するのに十分な電源容量が確保された段階で、ディスク装置３は情報を読み出し再生して出力し、送信手段１２からサーバ局６０３に信号を送信する。また、本発明の実施の形態２における携帯情報端末装置２０においても、燃料電池としてはＤＭＦＣを用いることができる。
【００４６】
なお、図５に示した本発明の実施の形態２における携帯情報端末装置２０の構成において補助電源手段５１は電源手段４の一部で、ディスク装置の制御用に確保されている電源であり、充電は最も優先的に行われる。以上説明した処理の手順が本発明の実施の形態２における携帯情報端末装置２０の情報バックアップの信号を送信する動作シーケンスとなる。
【００４７】
以上説明したように、上記の本発明の実施の形態２における携帯情報端末装置２０の構成および動作シーケンスにより、携帯情報端末装置２０に搭載される記憶装置となるディスク装置３内の情報を電源容量に制限されることなくバックアップおよび消去することが可能となる。すなわち、情報セキュリティ機能の高いディスク装置とそれを搭載した携帯情報端末装置を実現することが可能となる。
【００４８】
なお、上述した本発明の実施の形態２における携帯情報端末装置２０の概略構成を示す図５には、ディスク装置３を備える携帯情報端末装置２０が紛失したとき等にディスク装置３の存在する場所を特定するための信号を発信する現在位置信号発信手段を図示していないが、携帯情報端末装置２０またはディスク装置３自体に現在位置信号発信手段を付加した構成とすることもできる。この構成により紛失した携帯情報端末装置２０の所在が明らかになり利便性をさらに向上させることが可能になる。
【００４９】
（実施の形態３）
引き続き、本発明の実施の形態３における記憶装置となるディスク装置を備えた携帯情報端末装置について図８、図９を用いて説明する。図８は本発明の実施の形態３における携帯情報端末装置が備えるディスク装置の構成を示すブロック図、図９は本発明の実施の形態３における情報バックアップの場合の動作の手順を示すフローチャートである。
【００５０】
図８に示した本発明の実施の形態３における携帯情報端末装置が備える記憶装置となるディスク装置のここでの基本的な構成については、本発明の実施の形態２おける携帯情報端末装置と同様であり、重複をさけるため、ここでは、基本的な内容の詳しい説明を省略する。また、実施の形態２と同一の構成要素については、図５と同一の符号を付している。
【００５１】
図８に示した本発明の実施の形態３における携帯情報端末装置に備わるディスク装置の構成が図５に示した本発明の実施の形態２における携帯情報端末装置の構成と異なるところは、携帯情報端末装置２０を紛失した場合等に、記憶装置となるディスク装置３内の情報をバックアップおよび消去するための機能をディスク装置３自体が有することである。そして、ＨＤＤ等からなるディスク装置３が、ヘッド・メディア等ディスク装置３自体の基本的機構部であるＨＤＡ８１と、外部からの指令受信のための受信手段１１と、ディスク装置３内に記録されている優先度の高い情報を選択して外部へ送信するための送信手段１２と、送信する情報を選択して容量を確認する情報確認手段１３と、ディスク装置３を起動するにあたって可能な温度等の動作環境を満たしているか否か確認する動作環境確認手段１４と、電源制御手段５と、ディスク装置のための補助電源手段８２とを有するところである。
【００５２】
また、本発明の実施の形態３における携帯情報端末装置２０を用いる移動体通信システム６００に関しては、図６（ａ）にブロック図で示した概略構成、および図６（ｂ）にバックアップデータの送信等を行う処理の流れを概略的に示すブロック図により行われるとして説明を省略する。
【００５３】
次に、本発明の実施の形態３における携帯情報端末装置２０が備える記憶装置となるディスク装置３内の情報をバックアップおよび消去するための外部からの指令情報が受信された場合の処理の流れについて、指令情報受信時の処理の手順をフローチャートで示した図９を用いて説明する。
【００５４】
図９において、携帯情報端末装置２０を紛失した場合等に外部情報端末装置６０１からサーバ局６０３を経由して記憶装置となるディスク装置３内の情報をバックアップするための指令信号を携帯情報端末装置２０のディスク装置３に備わる受信手段１１で受信する（ステップＳ９０１：情報をバックアップするための指令信号受信処理）と、信号は受信手段１１から情報確認手段１３へ送られ、情報確認手段１３は送信する情報の確認、容量の確認をＨＤＡ８１との間で行うステップＳ９０２：バックアップする情報の有無と容量の確認処理）。次に、動作環境確認手段１４がバックアップのためにＨＤＤ等のディスク装置３の情報をＨＤＡ８１が再生、すなわち動作できる環境にあるか否かを確認するために、振動・衝撃、および温湿度・結露状態等の条件を検出し（ステップＳ９０３：ＨＤＡ動作環境確認処理）、振動・衝撃、および温湿度・結露状態がディスク装置３のＨＤＡ８１を動作させることができるしきい値以下であることの確認が完了したか否かを判断する（ステップＳ９０４：ＨＤＡ動作環境確認完了判断処理）。ディスク装置３の情報をＨＤＡ８１により再生することができる環境であると判断された場合、ディスク装置３のＨＤＡ８１の動作制御に移る（ステップＳ９０５：ディスク装置３のＨＤＡ８１の起動を含む動作制御処理）。ディスク装置３のＨＤＡ８１により情報を再生することができる環境にないと判断された場合、動作をあらかじめ設定された時間間隔で、あらかじめ設定させた回数確認を行い（ステップＳ９０６：環境確認の回数がしきい値以下であるか否かを計数する判断処理）、規定の回数確認してもディスク装置３の情報をＨＤＡ８１により再生することができる環境にないと判断された場合は、送信元に状態を伝える（ステップＳ９０７：環境の状態が悪い場合にその状況を送信指令する処理）。なお、動作環境確認手段１４の繰り返し回数は、例えば２分ごと２０回等でよいが、この時間間隔、回数に限定されるものではない。
【００５５】
次に、ＨＤＡ８１により情報を読み出す前に確認した情報とその容量から、情報を再生して送信するためにＨＤＡ動作用の電源容量を見積もって電源制御手段５で現在の電源容量が十分か否かを判断する（ステップＳ９０８：ＨＤＡ動作用電源容量の残量を確認する判断処理）。電源容量が十分と判断された場合、ディスク装置３のＨＤＡ８１は情報を再生して（ステップＳ９０９：ＨＤＤ等のディスク装置３のＨＤＡ８１により情報を再生する処理）、送信手段１２より、サーバ局６０３へバックアップ情報を送信し（ステップＳ９１０：情報をサーバ局６０３に送信する処理）、外部情報端末装置６０１にバックアップ情報が届く。逆に、電源容量が不十分と判断された場合は、電源制御手段５がディスク装置内に構成されている燃料電池等からなる補助電源手段８２を発電モードに切り換えて（ステップＳ９１１：発電モード動作処理）、充電を行う（ステップＳ９１２：充電モード動作処理）。ディスク装置３のＨＤＡ８１により情報を再生し、送信するのに十分な電源容量が確保された段階で、ディスク装置３のＨＤＡ８１は情報を読み出し再生して出力し、送信手段１２からサーバ局６０３に信号を送信する。ここで、補助電源手段８２は、ＨＤＡ８１内に記録されている情報のバックアップ用にディスク装置に取り付けられている。通常は、組み込まれる装置、例えば携帯情報端末装置やＤＶＤレコーダーの装置側より電源の供給を受けている。
【００５６】
以上説明した処理の手順が、記憶装置となるディスク装置内に補助電源を有する場合における携帯情報端末装置２０の情報バックアップの信号を送信する動作の手順の例である。
【００５７】
以上説明したように、上記の本発明の実施の形態３における携帯情報端末装置２０に備わるディスク装置３の構成および動作シーケンスにより、携帯情報端末装置２０に搭載されるディスク装置３内の情報を電源容量に制限されることなくバックアップおよび消去することが可能となる。すなわち、情報セキュリティ機能の高いディスク装置とそれを搭載した携帯情報端末装置を実現することが可能となる。
【００５８】
なお、上述した本発明の実施の形態３における携帯情報端末装置２０に備わるディスク装置３の概略構成を示す図８には、ディスク装置３を備える携帯情報端末装置２０が紛失したとき等にディスク装置３の存在する場所を特定するための信号を発信する現在位置信号発信手段を図示していないが、ディスク装置３自体に現在位置信号発信手段を付加した構成とすることもできる。この構成により紛失した携帯情報端末装置２０の所在が明らかになり利便性をさらに向上させることが可能になる。
【００５９】
なお、上述した本発明の各実施の形態における携帯情報端末装置に備わる記憶装置となるディスク装置を磁気ディスク装置（ＨＤＤ）としたが、光磁気ディスク装置等の他のドライブ装置や、ディスクを備えていない他のメモリ装置であってもよい。また、本発明の実施の形態１および実施の形態２における携帯端末情報装置が備える燃料電池をＤＭＦＣ型とした例で説明したが、本発明はこれに限定されるものではなく他の方式の燃料電池も当然用いることができる。
【産業上の利用可能性】
【００６０】
本発明にかかる携帯情報端末装置および記憶装置は、情報を受信および送信する通信手段と、情報を記録再生する記憶装置となるディスク装置と、情報を表示および出力する情報表示出力手段と、電源手段とを有し、電源手段は燃料電池であり、ディスク装置の動作および記録容量に応じて発電動作を制御する電源制御手段を有しており、磁気ディスク装置とそれを搭載した携帯電話等として有用である。また広く他の記憶装置およびそれらを搭載したＰＤＡやノートＰＣ等の携帯型情報機器の用途にも応用できる。
【図面の簡単な説明】
【００６１】
【図１】本発明の実施の形態１における携帯情報端末装置の構成を示すブロック図
【図２】本発明の実施の形態１における携帯情報端末装置の情報受信の場合の動作の手順を示すフローチャート
【図３】本発明の実施の形態１における携帯情報端末装置に備わる補助電源となる燃料電池の原理を説明する図
【図４】本発明の実施の形態１における携帯情報端末装置の情報送信の場合の動作の手順を示すフローチャート
【図５】本発明の実施の形態２における携帯情報端末装置の構成を示すブロック図
【図６】本発明の実施の形態２における携帯情報端末装置を用いる移動体通信システムにおいて情報のバックアップ処理を説明するブロック図
【図７】本発明の実施の形態２における携帯情報端末装置の情報バックアップの場合の動作の手順を示すフローチャート
【図８】本発明の実施の形態３における携帯情報端末装置が備えるディスク装置の構成を示すブロック図
【図９】本発明の実施の形態３における携帯情報端末装置の情報バックアップの場合の動作の手順を示すフローチャート
【図１０】携帯情報端末装置の不正使用を防止する方法の第１の例となる移動体通信システムの構成を示す図
【図１１】携帯情報端末装置の不正使用を防止する方法の別の例となる移動体通信システムの構成を示す図
【図１２】携帯情報端末装置の不正使用を防止する対策において、携帯情報端末装置に備わる磁気ディスク装置（ＨＤＤ）等のデータ記録再生装置のデータをその電源に異常が生じた場合でも保障することが可能な構成を示すブロック図
【符号の説明】
【００６２】
１    通信手段
２    情報表示出力手段
３    ディスク装置
４    電源手段
５    電源制御手段
６    情報入力手段
１０    主機能ブロック
１１    受信手段
１２    送信手段
１３    情報確認手段
１４    動作環境確認手段
２０    携帯情報端末装置
３０    燃料電池
５１，８２    補助電源手段
８１    ＨＤＡ
【図１】
2006229406.tif 000003
【図２】
2006229406.tif 000004
【図３】
2006229406.tif 000005
【図４】
2006229406.tif 000006
【図５】
2006229406.tif 000007
【図６】
2006229406.tif 000008
【図７】
2006229406.tif 000009
【図８】
2006229406.tif 000010
【図９】
2006229406.tif 000011
【図１０】
2006229406.tif 000012
【図１１】
2006229406.tif 000013
【図１２】
2006229406.tif 000014